(57)【要約】【課題】  出力端子数を増加させることなく、信頼性及び利便性の高い層判別信号検出用の出力を導出することのできる光ピックアップ装置を提供する。【解決手段】  光ピックアップ装置は、光ディスクの複数の情報層のいずれかからの反射光を受光する光検出器１１４を備えている。光検出器１１４は、複数の情報層に対してフォーカスエラー信号を検出するフォーカスエラー信号検出部１０１と、複数の情報層のいずれにフォーカスされているかを判別するための信号を検出する層判別信号検出部１０２と、フォーカス制御された情報層においてトラッキングエラー信号を検出するトラッキングエラー信号検出部１０３とを備え、層判別信号検出部１０２の出力とトラッキングエラー信号検出部１０３の出力を、選択的に同一の出力端子１０９、１１０から導出する。【選択図】  図１
2008310931.tif 000002
【特許請求の範囲】
【請求項１】
複数の情報層を備えた光ディスクに対して記録情報の記録再生を行う光ピックアップ装置であって、
レーザ光を出射する光源と、
前記光源から出射された前記レーザ光を前記光ディスクに集光して光スポットを形成する対物レンズと、
前記光ディスクの前記複数の情報層のいずれかからの反射光を受光する光検出器とを備え、
前記光検出器は、前記複数の情報層に対してフォーカスエラー信号を検出するフォーカスエラー信号検出部と、前記複数の情報層のいずれにフォーカスされているかを判別するための信号を検出する層判別信号検出部と、フォーカス制御された前記情報層においてトラッキングエラー信号を検出するトラッキングエラー信号検出部とを備え、前記層判別信号検出部の出力と前記トラッキングエラー信号検出部の出力を、選択的に同一の出力端子から導出するようにしたことを特徴とする光ピックアップ装置。
【請求項２】
フォーカス引き込み時、及びフォーカス引き込み後の層判別確認時に、前記層判別信号検出部の出力を選択し、トラッキング引き込み時、及びトラッキング制御中に、前記トラッキングエラー信号検出部の出力を選択して、前記同一の出力端子から導出する請求項１に記載の光ピックアップ装置。
【請求項３】
複数の情報層を備えた光ディスクに対して記録情報の記録再生を行う光ピックアップ装置を備えた光情報記録再生装置であって、
前記光ピックアップ装置として、請求項１又は２に記載の光ピックアップ装置を用いることを特徴とする光情報記録再生装置。
【請求項４】
切り替え制御端子をさらに備え、前記切り替え制御端子に印加される切り替え制御信号の信号レベルにより、前記同一の出力端子から導出される前記２種類の出力の切り替えを行う請求項３に記載の光情報記録再生装置。
【発明の詳細な説明】
【技術分野】
【０００１】
本発明は、光源から出射されたレーザ光を光ディスクに照射して記録情報を記録又は再生するために用いられる光ピックアップ装置及び光情報記録再生装置に関する。さらに詳細には、本発明は、複数の情報層を備えた光ディスクの層判別を行うための信号を検出する層判別信号検出部を有する光ピックアップ装置及び光情報記録再生装置に関する。
【背景技術】
【０００２】
光ディスクにおいては、記録容量を増加させるための１つの技術として、情報層を複数層設ける技術が開発されている。
【０００３】
記録容量を増加させるために二層以上の情報層が設けられた光ディスクに対して、記録情報の記録再生を行う際、光情報記録再生装置は、対物レンズによって集光されたレーザ光がいずれの情報層に対して集光状態にあるか（いずれの情報層にフォーカスされているか）を判別する必要がある（層判別処理）。
【０００４】
従来、層判別処理を行う技術としては、トラッキングエラー検出方法に依存せず、かつ、Ｓ／Ｎ比の大きい信号を利用して層判別処理を行うことができる技術が提案されている（例えば、特許文献１参照）。
【０００５】
ここで、特許文献１で提案されている層判別処理について、図５を参照しながら説明する。図５は、従来技術における、層判別を行うための信号（層判別信号）を検出する光検出器を示す概略構成図である。尚、この場合の光ディスクは、第１の情報層（対物レンズから遠い側の情報層）と第２の情報層（対物レンズから近い側の情報層）の２つの情報層を備えている。
【０００６】
レーザ光が光ディスクの第１の情報層の近傍に集光している（焦点を結んでいる）とき、２つの受光部Ｃ１と２つの受光部Ｃ２とからなる受光素子１０２には、第２の情報層からの反射光（迷光）によって楕円形状の光スポット３１１（破線）が形成される。この場合、２つの受光部Ｃ１には第２の情報層からの反射光（迷光）が入射するが、２つの受光部Ｃ２には第２の情報層からの反射光（迷光）は入射しない。
【０００７】
一方、レーザ光が光ディスクの第２の情報層の近傍に集光している（焦点を結んでいる）とき、受光素子１０２には、第１の情報層からの反射光（迷光）によって円形状の光スポット３１２（一点鎖線）が形成される。この場合、２つの受光部Ｃ１と２つの受光部Ｃ２には、第１の情報層からの反射光（迷光）がほぼ均等に入射する。
【０００８】
従って、
（受光部Ｃ１からの光量出力信号）−（受光部Ｃ２からの光量出力信号）
の演算を行うことによって得られる層判別信号ＲＤは、レーザ光が光ディスクの第１の情報層の近傍に集光しているときは０よりも大きい正の値となり、レーザ光が光ディスクの第２の情報層の近傍に集光しているときはほぼ０の値となる。そして、層判別信号ＲＤにより、対物レンズによって集光されたレーザ光がいずれの情報層に対して集光状態にあるかを判別することが可能となる。
【０００９】
また、例えば、特許文献２に記載されているように、情報層にフォーカスサーボ及びトラッキングサーボを行った後、リードイン領域を読み取り、記録密度状態及び位置情報に応じて、光ディスクを回転させるためのスピンドルモータの制御や、トラッキング、フォーカスの制御を行うようにした技術が知られている。
【００１０】
さらに、例えば、特許文献３に記載されているように、ＣＤ（Compact Disk）に対してフォーカス制御及びトラッキング制御を行うための信号を検出する受光部と、ＤＶＤ（Digital Versatile Disk）に対してフォーカス制御及びトラッキング制御を行うための信号を検出する受光部とを備え、ＣＤを記録再生する場合には、ＣＤに対してフォーカス制御及びトラッキング制御を行うための信号を選択し、また、ＤＶＤを記録再生する場合には、ＤＶＤに対してフォーカス制御及びトラッキング制御を行うための信号を選択して同一の出力端子から出力するようにした技術が知られている。
【特許文献１】特開２００５−２５９２３号公報
【特許文献２】特開２００４−２１３８８２号公報
【特許文献３】特許第３６６３１１０号公報
【発明の開示】
【発明が解決しようとする課題】
【００１１】
しかし、特許文献１で提案されている技術を用いるためには、層判別信号検出用の出力端子を専用に備える必要がある。そのため、フォーカスエラー（ＦＥ）信号を検出するＦＥ信号検出部と、トラッキングエラー（ＴＥ）信号を検出するＴＥ信号検出部とを別々に備えた光検出器を有する光ピックアップ装置の場合には、ＦＥ信号検出用の出力端子とＴＥ信号検出用の出力端子に加えて、層判別信号検出用の出力端子が別途必要となる。このことは、出力端子数の増加につながり、光ピックアップ装置の端子数の制限及び配線の煩雑さの点で不利である。
【００１２】
また、特許文献２に記載されている技術では、フォーカス引き込み時にレーザ光の焦点がいずれの情報層の近傍に位置しているかが分からないという問題点がある。
【００１３】
また、特許文献３に記載されている技術は、例えば、ＣＤに対してフォーカス制御及びトラッキング制御を行うための信号と、ＤＶＤに対してフォーカス制御及びトラッキング制御を行うための信号とを選択的に出力する技術、すなわち、信号の種類が共通する出力を、光ディスクごとに選択的に切り替えて導出する技術であり、層判別信号検出用の信号を出力するためには、特許文献１の場合と同様に、層判別信号検出用の出力端子を別途設ける必要があり、出力端子数が増加してしまう。
【００１４】
本発明は、従来技術における前記課題を解決するためになされたものであり、出力端子数を増加させることなく、信頼性及び利便性の高い層判別信号検出用の出力を導出することのできる光ピックアップ装置及び光情報記録再生装置を提供することを目的とする。
【課題を解決するための手段】
【００１５】
前記目的を達成するため、本発明に係る光ピックアップ装置の構成は、複数の情報層を備えた光ディスクに対して記録情報の記録再生を行う光ピックアップ装置であって、レーザ光を出射する光源と、前記光源から出射された前記レーザ光を前記光ディスクに集光して光スポットを形成する対物レンズと、前記光ディスクの前記複数の情報層のいずれかからの反射光を受光する光検出器とを備え、前記光検出器は、前記複数の情報層に対してフォーカスエラー信号を検出するフォーカスエラー信号検出部と、前記複数の情報層のいずれにフォーカスされているかを判別するための信号を検出する層判別信号検出部と、フォーカス制御された前記情報層においてトラッキングエラー信号を検出するトラッキングエラー信号検出部とを備え、前記層判別信号検出部の出力と前記トラッキングエラー信号検出部の出力を、選択的に同一の出力端子から導出するようにしたことを特徴とする。
【００１６】
前記本発明の光ピックアップ装置の構成においては、フォーカス引き込み時、及びフォーカス引き込み後の層判別確認時に、前記層判別信号検出部の出力を選択し、トラッキング引き込み時、及びトラッキング制御中に、前記トラッキングエラー信号検出部の出力を選択して、前記同一の出力端子から導出するのが好ましい。
【００１７】
また、本発明に係る光情報記録再生装置の構成は、複数の情報層を備えた光ディスクに対して記録情報の記録再生を行う光ピックアップ装置を備えた光情報記録再生装置であって、前記光ピックアップ装置として、前記本発明の光ピックアップ装置を用いることを特徴とする。
【００１８】
前記本発明の光情報記録再生装置においては、切り替え制御端子をさらに備え、前記切り替え制御端子に印加される切り替え制御信号の信号レベルにより、前記同一の出力端子から導出される前記２種類の出力の切り替えを行うのが好ましい。
【発明の効果】
【００１９】
本発明によれば、出力端子数を増加させることなく、信頼性及び利便性の高い層判別信号検出用の出力を導出することのできる光ピックアップ装置及び光情報記録再生装置を提供することができる。
【発明を実施するための最良の形態】
【００２０】
以下、実施の形態を用いて本発明をさらに具体的の説明する。
【００２１】
まず、図４を参照しながら、本発明の一実施の形態の光情報記録再生装置について説明する。図４は、本発明の一実施の形態における光情報記録再生装置の構成を示すブロック図である。
【００２２】
図４に示すように、本実施の形態の光情報記録再生装置は、後述する本発明の光ピックアップ装置３０を備えた光ディスク装置５０である。
【００２３】
本実施の形態の光ディスク装置５０は、光ピックアップ装置３０と、光ディスク１５を回転させるためのスピンドルモータ４３と、光ピックアップ装置３０の位置を制御するための移送モータ４２と、これらの動作を制御する制御手段とを備えている。ここで、光ピックアップ装置３０は、信号処理手段である前処理回路３６、及び光ピックアップ装置３０の対物レンズ５や光源１（図３参照）の動作を制御する駆動回路４１と電気的に接続され、これらとの間で電気信号の授受を行う。
【００２４】
光ディスク１５から光学的に読み出される記録情報は、光ピックアップ装置３０の光検出器１１４（図３参照）で電気信号に変換される。この電気信号は、図示しないフレキシブルプリント基板などの接続手段を経由して、前処理回路３６に入力される。前処理回路３６は、光ピックアップ装置３０から得られた電気信号に基づいて、光ディスク１５の情報層の層判別を行うための層判別信号の生成、フォーカスエラー（ＦＥ）信号及びトラッキングエラー（ＴＥ）信号を含むサーボ信号の生成、並びに、再生信号の波形等化、２値化スライス、同期データなどのアナログ信号処理を行う。
【００２５】
前処理回路３６で生成されたサーボ信号は、制御回路３７に入力される。制御回路３７は、駆動回路４１を介して、光ピックアップ装置３０の光スポットを光ディスク１５に追従させる。駆動回路４１は、光ピックアップ装置３０、移送モータ４２及びスピンドルモータ４３と電気的に接続されている。駆動回路４１は、対物レンズ５のフォーカス制御及びトラッキング制御、移送モータ４２及びスピンドルモータ４３の制御などの一連の制御をデジタルサーボで実現する。駆動回路４１の働きにより、対物レンズ５のアクチュエータ（図示せず）の駆動が行われるほか、光ピックアップ装置３０を光ディスク１５の内周や外周へ移送させるための移送モータ４２の駆動や、光ディスク１５を回転させるためのスピンドルモータ４３の駆動が適切に行われる。
【００２６】
前処理回路３６で生成された同期データについては、システムコントローラ４０でデジタル信号処理が行われ、図示しないインターフェイス回路を介して記録再生データがホストコンピュータに転送される。前処理回路３６、制御回路３７及びシステムコントローラ４０は、中央演算処理手段３８と電気的に接続されており、中央演算処理手段３８の指令によって動作する。光ディスク１５を回転させ、光ピックアップ装置３０を目標の位置へ移送させ、光ディスク１５の目標のトラックに光スポットを形成し、追従させるといった制御動作を含む一連の動作を規定するプログラムは、予めファームウェアとして不揮発性メモリ３９などの半導体装置に記憶されている。このようなファームウェアは、中央演算処理手段３８により、必要な動作の形態に応じて、不揮発性メモリ３９から読み出される。
【００２７】
尚、本明細書においては、前処理回路３６、制御回路３７、中央演算処理手段３８、不揮発性メモリ３９及びシステムコントローラ４０を、全体として「制御手段」と称することとする。
【００２８】
典型的な光ディスク１５には、その内周部に設けられたリードイン領域にディスク情報が記録されている。このディスク情報の再生、前処理回路３６による、各情報層の反射率の違いに起因する信号振幅の大きさの相違に基づく判別、又は後述する層判別用の受光素子１０２の出力信号に基づく判別等により、光ディスク１５が備える情報層の層数を判別することができる。各情報層の反射率の違いに起因する信号振幅の大きさの相違に基づいて情報層の層数を判別する手法や、リードイン領域に記録されているディスク情報を再生することによって情報層の層数を判別する手法では、層判別信号検出用の出力端子を増設する必要はないが、各情報層又はリードイン領域に光スポットを照射する必要があるために、光ピックアップ装置３０が備える対物レンズ５を制御することが要請され、層判別信号を得るのに時間がかかる。これに対して、層判別用の受光素子１０２を適用すると、形成している光スポットに最近接の情報層を判別することができるため、情報層の層数を簡便に判別することができると共に、層数を判別できれば直ちに最近接の情報層に対して記録再生動作を実行することができる。従って、本実施の形態においては、層判別用の受光素子１０２を適用した場合について説明する。尚、層判別用の受光素子１０２の出力信号に基づいて判別した情報層が所望の情報層であれば、前処理回路３６は、層判別用の受光素子１０２からの層判別信号を、トラッキングエラー信号検出用の受光素子１０３からのトラッキングエラー信号に切り替える。また、層判別用の受光素子１０２の出力信号に基づいて判別した情報層が、所望の情報層と異なる場合には、前処理回路３６は、層間移動して所望の情報層に光スポットを形成するように制御する。
【００２９】
次に、図３を参照しながら、上記光ディスク装置５０（光情報記録再生装置）に用いられている光ピックアップ装置３０の詳細について説明する。図３は、本発明の一実施の形態における光ピックアップ装置を示す概略構成図である。
【００３０】
図３に示すように、本実施の形態の光ピックアップ装置３０は、レーザ光を出射する光源１と、光源１から出射されたレーザ光を光ディスク１５に集光して光スポットを形成する対物レンズ５と、光ディスク１５の複数の情報層のいずれかからの反射光を受光する光検出器１１４とを備えている。
【００３１】
光源１は、光軸に垂直な平面上の光強度分布が長円形であるレーザ光を出射する半導体レーザである。ＢＤ（Blu-ray Disk）やＨＤ（High Definition）−ＤＶＤなどの光ディスクに対して記録情報の記録再生を行う場合には、中心波長が４０５ｎｍの青紫色光を出射する半導体レーザが好適に使用される。
【００３２】
光ディスク１５は、例えば、ＤＶＤ-Ｒ（recordable）、ＤＶＤ-ＲＡＭ（Random Access Memory）、ＤＶＤ-ＲＷ（rewritable）、ＢＤ−Ｒ、ＢＤ−ＲＥ（rewritable）などの光ディスクのいずれであってもよい。また、これらの光ディスクが備える情報層は、単層であっても複数層であってもよい。特許文献１にも記載されているが、単層の情報層を備えた光ディスクの場合には、フォーカスエラー信号のゼロクロス近傍において、層判別信号が０（ローレベル）にはならず、常に正（ハイレベル）となる。フォーカスエラー信号のゼロクロス近傍において、層判別信号がローレベルになることがあれば二層の情報層を備えた光ディスクと判断し、常にハイレベルであれば、単層の情報層を備えた光ディスクと判断することができる。以下においては、光ディスク１５として、二層の情報層（対物レンズ５から遠い側の第１の情報層１５ａと対物レンズ５から近い側の第２の情報層１５ｂ）を備えたＢＤ−ＲＥを例に挙げて説明する（以下の説明は、二層の情報層を備えたＢＤ−Ｒの場合でも同様である）。
【００３３】
光検出器１１４は、フォーカスエラー信号検出用の受光素子１０１と、層判別用の受光素子１０２と、トラッキングエラー信号検出用の受光素子１０３とを備えている。
【００３４】
光源１と対物レンズ５との間には、光源１側から対物レンズ５側に向かって順に配置された、ビームスプリッタ２と、コリメートレンズ３と、ミラー４とが設けられている。
【００３５】
ビームスプリッタ２は、光源１から出射されたレーザ光を、反射させて、その向きを変える。光源１から出射されたレーザ光は、略直線に偏光しており、ビームスプリッタ２は、光源１から出射されたレーザ光（往路光）を反射するように設計されている。後述するように、光源１から出射されたレーザ光（往路光）と、光ディスク１５からの反射光（復路光）とでは、偏光方向が約９０°異なっている。本実施の形態で使用するビームスプリッタ２は、入射光の偏光主軸の向きによって反射／透過特性が異なる性質を有し、往路光がビームスプリッタ２によって反射され、復路光がビームスプリッタ２を透過するように設計されている。
【００３６】
コリメートレンズ３は、ビームスプリッタ２によって反射されたレーザ光を略平行光に変換する。ミラー４は、コリメートレンズ３によって略平行光に変換されたレーザ光の進行方向を変更する。
【００３７】
ミラー４によって反射されたレーザ光は、対物レンズ５によって集光され、光ディスク１５の第１の情報層１５ａ又は第２の情報層１５ｂに光スポットを形成する。光ディスク１５からの反射光（復路光）は、対物レンズ５、ミラー４、コリメートレンズ３を通ってビームスプリッタ２に入射する。反射光（復路光）の偏光主軸の方向（電気ベクトルの方向）は、光源１から出射されたレーザ光（往路光）の偏光主軸の方向に直交している。このため、ビームスプリッタ２に入射するとき、光ディスク１５からの反射光（復路光）の偏光主軸の方向は、ビームスプリッタ２を透過できる方向に平行であり、光ディスク１５からの反射光は、ビームスプリッタ２を透過する。
【００３８】
ビームスプリッタ２と光検出器１１４との間には、ビームスプリッタ２側から光検出器１１４側に向かって順に配置された、光学素子６と、検出レンズ７とが設けられている。
【００３９】
光学素子６は、０次光である反射光（復路光）を回折して複数の回折光に分割する機能を有している。例えば、光学素子６は、入射するレーザ光の８０％をそのまま０次光として透過し、残りの２０％を、±１次光である２つの回折光に分割して出射する。
【００４０】
検出レンズ７は、シリンドリカル面を持つレンズである。検出レンズ７は、光ディスク１５からの反射光に非点収差を発生させ、従って、フォーカスエラー信号の検出を、非点収差法や差動非点収差法によって行うことができる。
【００４１】
光検出器１１４は、検出レンズ７からのレーザ光（検出光）を受光し、受光素子１０１でフォーカスエラー信号を、受光素子１０２で層判別信号を、受光素子１０３でトラッキングエラー信号を生成するための電気信号にそれぞれ変換する。
【００４２】
次に、図１を参照しながら、上記光ピックアップ装置３０に用いられている光検出器１１４の詳細について説明する。図１は、本発明の一実施の形態における光ピックアップ装置の光検出器を示す概略構成図である。
【００４３】
図１において、１０１は、検出レンズ７（図３参照）からのレーザ光（検出光）を受光し、光ディスク１５の複数の情報層（第１の情報層１５ａ、第２の情報層１５ｂ）に対してフォーカスエラー（ＦＥ）信号を検出するＦＥ信号検出部としての受光素子であり、受光素子１０１は、４分割された受光部Ａ１、Ａ２、Ａ３、Ａ４により構成されている。そして、受光部Ａ１、Ａ２、Ａ３、Ａ４のそれぞれの出力は、出力端子１０７、１０６、１０８、１０５からそれぞれ導出される。
【００４４】
１０２は、検出レンズ７（図３参照）からのレーザ光（検出光）を受光し、光ディスク１５の複数の情報層（第１の情報層１５ａ、第２の情報層１５ｂ）のいずれにフォーカスされているかを判別するための信号（層判別信号）を検出する層判別信号検出部としての受光素子であり、受光素子１０２は、２つの受光部Ｃ１と２つの受光部Ｃ２とにより構成されている。層判別処理は、本明細書の［背景技術］の欄で説明した、特許文献１に記載のものと同様である。２つの受光部Ｃ１は、配線によって結合された後、スイッチ１０４ａを介して出力端子１１０に接続されており、２つの受光部Ｃ１の出力は、出力端子１１０から導出される。また、２つの受光部Ｃ２は、配線によって結合された後、スイッチ１０４ｂを介して出力端子１０９に接続されており、２つの受光部Ｃ２の出力は、出力端子１０９から導出される。
【００４５】
１０３は、検出レンズ７（図３参照）からのレーザ光（検出光）を受光し、フォーカス制御された情報層においてトラッキングエラー（ＴＥ）信号を検出するＴＥ信号検出部としての受光素子であり、受光素子１０３は、４つの受光部Ｂ１、Ｂ２、Ｂ３、Ｂ４により構成されている。受光部Ｂ１、Ｂ２のそれぞれの出力は、出力端子１１３、１１２からそれぞれ導出される。受光部Ｂ３は、スイッチ１０４ｂを介して出力端子１０９に接続されており、受光部Ｂ３の出力は、出力端子１０９から導出される。また、受光部Ｂ４は、スイッチ１０４ａを介して出力端子１１０に接続されており、受光部Ｂ４の出力は、出力端子１１０から導出される。
【００４６】
スイッチ１０４ａ、１０４ｂは、出力端子１０９及び出力端子１１０への出力として、層判別信号を検出する受光部Ｃ２及び受光部Ｃ１の出力を選択するか、トラッキングエラー信号を検出する受光部Ｂ３及び受光部Ｂ４の出力を選択するためのスイッチである。そして、光ディスク装置５０（図４参照）に設けられた切り替え制御端子１１１（図３参照）に印加される前処理回路３６からの切り替え制御信号の信号レベルにより、層判別信号を検出する受光部Ｃ２及び受光部Ｃ１の出力（層判別信号検出部の出力）、あるいはトラッキングエラー信号を検出する受光部Ｂ３及び受光部Ｂ４の出力（ＴＥ信号検出部の出力）が選択される。
【００４７】
以上のように、本実施の形態においては、層判別信号を検出する受光部Ｃ２及び受光部Ｃ１の出力と、トラッキングエラー信号を検出する受光部Ｂ３及び受光部Ｂ４の出力とが同一の出力端子から選択的に導出されるように構成されているので、出力端子数を増加させることなく、信頼性及び利便性の高い層判別信号検出用の出力を導出することのできる光ピックアップ装置及び光情報記録再生装置を提供することができる。
【００４８】
次に、図１〜図４を参照しながら、複数の情報層を備えた光ディスク１５に対して記録情報の記録再生を行う場合の、スイッチ１０４ａ、１０４ｂの切り替えのタイミングについて説明する。図２は、本発明の一実施の形態における光ピックアップ装置の動作タイミングを示す図である。
【００４９】
光ディスク装置５０に挿入された複数の情報層を備えた光ディスク１５に対して記録情報の記録再生を行うためには、まず、図２の期間Ｉに示すように、光ディスク１５の情報層にフォーカス制御をかけるための、フォーカス引き込み動作を行う。このとき、対物レンズ５によって集光されたレーザ光の焦点がいずれの情報層の近傍に位置しているかが判別できれば、フォーカス制御を行うべき所望の情報層に対して容易にかつ瞬時にフォーカス制御を行うことができる。しかし、期間Ｉ（フォーカス引き込み時）においては、トラッキング制御は行わないので、期間Ｉで必要となる信号は、フォーカスエラー信号を検出する受光素子１０１の受光部Ａ１、Ａ２、Ａ３、Ａ４からの光量出力信号、及び層判別信号を検出する受光素子１０２の受光部Ｃ１、Ｃ２からの光量出力信号のみである。
【００５０】
また、図２の期間IIに示すように、フォーカス制御を開始した後も、トラッキング制御を行う前に、層判別信号を検出する受光素子１０２の受光部Ｃ１、Ｃ２からの光量出力信号を用いて、所望の情報層にフォーカス制御を行うことができたかどうかを確認することができる。よって、期間II（フォーカス引き込み後の層判別確認時）で必要となる信号は、フォーカスエラー信号を検出する受光素子１０１の受光部Ａ１、Ａ２、Ａ３、Ａ４からの光量出力信号、及び層判別信号を検出する受光素子１０２の受光部Ｃ１、Ｃ２からの光量出力信号である。
【００５１】
次に、所望の情報層に対してフォーカス制御を行うことができたことが確認できたら、図２の期間IIIに示すように、フォーカス制御がかかった状態のままトラッキング制御をかける必要がある。しかし、期間III（トラッキング引き込み時、及びトラッキング制御時）においては、層判別信号の検出を敢えて行う必要はないので、期間IIIで必要となる信号は、フォーカスエラー信号を検出する受光素子１０１の受光部Ａ１、Ａ２、Ａ３、Ａ４からの光量出力信号、及びトラッキングエラー信号を検出する受光素子１０３の受光部Ｂ１、Ｂ２、Ｂ３、Ｂ４からの光量出力信号である。
【００５２】
以上のように、期間IIから期間IIIへ移るタイミングで、出力端子１０９及び出力端子１１０への出力が、層判別信号を検出する受光部Ｃ２及び受光部Ｃ１の出力から、トラッキングエラー信号を検出する受光部Ｂ３及び受光部Ｂ４の出力に切り替わるように、スイッチ１０４ａ、１０４ｂを制御すればよい。
【００５３】
また、期間IIIの状態のときに、層判別信号の検出を行う必要が生じた場合には、トラッキング制御を一旦切り、出力端子１０９及び出力端子１１０への出力を、トラッキングエラー信号を検出する受光部Ｂ３及び受光部Ｂ４の出力から層判別信号を検出する受光部Ｃ２及び受光部Ｃ１の出力に切り替え、期間IIの状態に戻ってから層判別信号の検出を行えばよい。
【００５４】
尚、上記実施の形態においては、層判別信号を検出する受光部Ｃ２及び受光部Ｃ１の出力と、トラッキングエラー信号を検出する受光部Ｂ３及び受光部Ｂ４の出力とが同一の出力端子から選択的に導出されるように構成されているが、層判別信号を検出する受光部Ｃ２及び受光部Ｃ１の出力と、トラッキングエラー信号を検出する受光部Ｂ１及び受光部Ｂ２の出力とが同一の出力端子から選択的に導出されるように構成されていてもよい。
【００５５】
また、上記実施の形態においては、２つの受光部Ｃ１と２つの受光部Ｃ２が、それぞれ配線によって結合された後、それぞれ１つの出力端子１１０、１０９に接続され、かつ、受光部Ｂ４と受光部Ｂ３が、それぞれ１つの出力端子１１０、１０９に接続されているが、２つの受光部Ｃ１と２つの受光部Ｃ２の合計４つの層判別信号を検出する受光部が、それぞれ１つの層判別用の出力端子に接続され、かつ、４つのトラッキングエラー信号を検出する受光部Ｂ１、Ｂ２、Ｂ３、Ｂ４が、それぞれ１つの前記層判別用の出力端子と同一の出力端子に接続されていてもよい。
【産業上の利用可能性】
【００５６】
以上のように、本発明によれば、出力端子数を増加させることなく、信頼性及び利便性の高い層判別信号検出用の出力を導出することのできる光ピックアップ装置を提供することができる。従って、本発明は、特に、複数の情報層を備えた光ディスクに対して記録情報の記録再生を行う光ピックアップ装置に有用である。
【図面の簡単な説明】
【００５７】
【図１】本発明の一実施の形態における光ピックアップ装置の光検出器を示す概略構成図
【図２】本発明の一実施の形態における光ピックアップ装置の動作タイミングを示す図
【図３】本発明の一実施の形態における光ピックアップ装置を示す概略構成図
【図４】本発明の一実施の形態における光情報記録再生装置の構成を示すブロック図
【図５】従来技術における、層判別を行うための信号（層判別信号）を検出する光検出器を示す概略構成図
【符号の説明】
【００５８】
１  光源
５  対物レンズ
１５  光ディスク
１５ａ  第１の情報層
１５ｂ  第２の情報層
３０  光ピックアップ装置
５０  光ディスク装置（光情報記録再生装置）
１０１  受光素子（フォーカスエラー信号検出部）
１０２  受光素子（層判別信号検出部）
１０３  受光素子（トラッキングエラー信号検出部）
１０４ａ、１０４ｂ  スイッチ
１０９、１１０  出力端子
１１１  切り替え制御端子
１１４  光検出器
【図１】
2008310931.tif 000003
【図２】
2008310931.tif 000004
【図３】
2008310931.tif 000005
【図４】
2008310931.tif 000006
【図５】
2008310931.tif 000007